(57)【要約】【課題】隣接バンドからの干渉に対する耐性を向上させること。【解決手段】複数のサブキャリアを所定周波数間隔で配置したマルチキャリア伝送方式を用いてデータを送受信する無線通信システムにおける受信装置は、当該受信装置がデータの受信に使用している周波数帯域に隣接する周波数帯域を使用してデータの送信を行う他の通信装置の通信状況を検出する検出部と、検出された他の無線通信装置の通信状況に基づいて、所定の変調方式で変調されたデータの復調処理に用いるサブキャリアを決定する決定部と、決定された復調処理に用いるサブキャリアを用いて、復調処理を行う復調部とを有する。無線通信システムで送受信されるデータを送信する各サブキャリアは所定の変調方式で変調される。【選択図】図９
2010093708.tif 000002
【特許請求の範囲】
【請求項１】
複数のサブキャリアを所定周波数間隔で配置したマルチキャリア伝送方式を用いてデータを送受信する無線通信システムにおける無線受信装置であって、
前記無線通信システムで送受信されるデータを送信する各サブキャリアは所定の変調方式で変調され、
当該無線受信装置がデータの受信に使用している周波数帯域に隣接する周波数帯域を使用してデータの送信を行う他の無線通信装置の通信状況を検出する隣接周波数帯域通信状況検出部と、
前記隣接周波数帯域通信状況検出部において検出された他の無線通信装置の通信状況に基づいて、前記所定の変調方式で変調されたデータの復調処理に用いるサブキャリアを決定する復調データ・サブキャリア決定部と、
前記復調データ・サブキャリア決定部において決定された復調処理に用いるサブキャリアを用いて、復調処理を行う復調部と
を有することを特徴とする無線受信装置。
【請求項２】
請求項１に記載の無線受信装置において、
前記無線通信システムで送受信されるサブキャリアはDCM変調方式で変調され、
前記復調部は、DCM変調方式で変調された信号の復調処理を行うことを特徴とする無線受信装置。
【請求項３】
請求項１に記載の無線受信装置において、
前記無線通信システムで送受信されるサブキャリアはQPSK変調方式で変調され、周波数領域拡散が適用され、
前記復調部は、QPSK変調方式で変調され、周波数領域拡散が適用された信号の復調処理を行うことを特徴とする無線受信装置。
【請求項４】
請求項１ないし３のいずれか１項に記載の無線受信装置において、
前記隣接周波数帯域通信状況検出部は、当該無線受信装置がデータを受信している周波数帯域に隣接する周波数帯域を用いてデータの送信を行う他の無線通信装置の存在を検出することを特徴とする無線受信装置。
【請求項５】
請求項１ないし３のいずれか１項に記載の無線受信装置において、
前記隣接周波数帯域通信状況検出部は、当該無線受信装置がデータを受信している周波数帯域に隣接する周波数帯域を用いてデータの送信を行う他の無線通信装置からのデータの受信信号強度を検出することを特徴とする無線受信装置。
【請求項６】
請求項４又は５に記載の無線受信装置において、
前記復調データ・サブキャリア決定部は、前記隣接周波数帯域通信状況検出部において検出された他の無線通信装置の通信状況に基づいて、該他の無線通信装置からの干渉を低減するように、前記所定の変調方式で変調されたデータの復調処理に用いるサブキャリアを決定することを特徴とする無線受信装置。
【請求項７】
請求項６に記載の無線受信装置において、
前記復調データ・サブキャリア決定部は、前記所定の変調方式で変調されたデータの復調処理に用いるサブキャリアの個数を決定することを特徴とする無線受信装置。
【請求項８】
請求項１ないし７のいずれか１項に記載の無線受信装置において、
前記無線通信システムで送信されるサブキャリアの個数は変更されないことを特徴とする無線受信装置。
【請求項９】
複数のサブキャリアを所定周波数間隔で配置したマルチキャリア伝送方式を用いてデータを送受信する無線通信システムの無線受信装置における方法であって、
前記無線通信システムで送受信されるサブキャリアは所定の変調方式で変調され、
当該無線受信装置がデータの受信に使用している周波数帯域に隣接する周波数帯域を使用してデータの送信を行う他の無線通信装置の通信状況を検出するステップと、
前記通信状況を検出するステップにおいて検出された他の無線通信装置の通信状況に基づいて、前記所定の変調方式で変調されたデータの復調処理に用いるサブキャリアを決定するステップと、
前記サブキャリアを決定するステップにおいて決定された復調処理に用いるサブキャリアを用いて、復調処理を行うステップと
を有することを特徴とする方法。
【発明の詳細な説明】
【技術分野】
【０００１】
本発明は、マルチキャリア伝送方式を用いて送信されたデータを受信する無線受信装置及び方法に関する。
【背景技術】
【０００２】
近年、PAN(Personal  Area  Network)と言われる近距離無線通信では、パソコンやＡＶ機器間において、映像や音の高品質な通信や大量のデータのやりとりが実現できるとして、ワイヤレスUSB(Universal  Serial  Bus)が注目されている。このワイヤレスUSBには、無線通信方式として、WiMedia  Allianceが推進するUWB(Ultra  Wideband)方式が採用されている。UWBは低消費電力でありながら、現在普及している802.11a/b/gをはるかに上回る高速通信が可能であることから、オフィスでの通信の効率化、生活の利便性向上のために、様々な機器に搭載されていくことが期待されている。UWBでは、図１のように、3.1GHz〜10.6GHz帯域を、1バンド528MHz帯域として14バンドに分割し、低域のバンドからバンド#1、バンド#2、・・・、バンド#14と番号が付けられている。また、3バンドずつをグループ化してチャネルと呼ぶ。さらに、チャネル#1で通信を行う場合には、ホッピング・パターンによって、図２のように１つのバンドのみで通信を行ったり、図３のように3つのバンドを用いて通信を行ったりすることができる。
【０００３】
WiMedia  Allianceで策定された"MultiBand  OFDM  Physical  Layer  Specification  Version  1.2"によれば、マルチバンドOFDM信号は帯域幅528MHzで128個のサブキャリアを持つ。これらのサブキャリアのうち、6個はヌル・サブキャリア、１０個はガード・サブキャリア、１２個はパイロット・サブキャリアである。残りの100個のサブキャリアでデータを伝送する。図４に各サブキャリアの周波数領域での配置を示す。また、仕様書によれば、変調方式、周波数領域拡散(Frequency-Domain  Spreading:  FDS)、時間領域拡散(Time-Domain  Spreading:TDS)により様々な伝送速度が規定されている。図５に伝送速度に関するPHYパラメータを示す。図５に示される通り、伝送速度が320Mbps以上の時の変調方式にDCM(Dual-carrier  modulation)変調方式が採用されている。DCM変調方式について説明する。
【０００４】
DCM変調方式では、200ビットを4ビットずつ50のグループに分ける。各ビットをｂ［ｉ］（ｉ∈［０，１９９］）とすると、４ビットのグループは、ｂ［ｇ（ｋ）］，ｂ［ｇ（ｋ）＋１］，ｂ［ｇ（ｋ）＋５０］，ｂ［ｇ（ｋ）＋５１］と表される。ここで、ｋ∈［０，４９］であり、ｇ（ｋ）は、ｋ∈［０，２４］のときはｇ（ｋ）＝２ｋ、ｋ∈［２５，４９］のときはｇ（ｋ）＝２ｋ＋５０となる。この４ビットのグループは、２つのＩＱ平面（ｄ［ｋ］，ｄ［ｋ＋５０］）にマッピングされる。ここで、ｄ［ｉ］（ｉ∈［０，９９］）であり、ｄ［０］は最も低域な、ｄ［９９］は最も高域な周波数のデータ・サブキャリアに配置される。ここで、データ・サブキャリアは、データを送信するサブキャリアを示す。図６は、２つのＩＱ平面（ｄ［ｋ］，ｄ［ｋ＋５０］）を示す。図７にDCM変調方式の符号化テーブルの一例を示す。図６で示した２つのＩＱ平面は、低域サブキャリアであるｄ［ｋ］と高域サブキャリアであるｄ［ｋ＋５０］で、それぞれ５０個のデータ・サブキャリア離れており、その距離は２００ＭＨｚ以上である。一般的には、DCM変調信号を復調する時には、ｄ［ｋ］とｄ［ｋ＋５０］のＩ成分、あるいはｄ［ｋ］とｄ［ｋ＋５０］のＱ成分からＱＰＳＫ復調と同様な方式で復調される。低域サブキャリアであるｄ［ｋ］と高域サブキャリアであるｄ［ｋ＋５０］のサブキャリアが同時にフェージングの影響を受けて悪化している確率はより低い。低域サブキャリアであるｄ［ｋ］と高域サブキャリアであるｄ［ｋ＋５０］のサブキャリアに対するフェージングの影響が小さい場合には、周波数ダイバーシティ効果が得られる。
【０００５】
また、２つのサブキャリアを用いて復調を行わなくても、低域サブキャリアであるｄ［ｋ］のみ、もしくは高域サブキャリアであるｄ［ｋ＋５０］のみの１つのサブキャリアのみを用いて１６ＱＡＭ復調と同様な方式で復調することもできる。一般的な２つのサブキャリアを用いた復調方式は、周波数選択性フェージングへの耐性は強いが、一方で低域もしくは高域のどちらかのサブキャリアの特性が極端に悪化している場合、良いサブキャリアの特性も悪化させてしまうという欠点がある。以下にその例を示す。
【０００６】
図８は、バンド２で受信している時の無線受信装置の受信スペクトラムを示している。該無線通信装置が受信処理を行っているバンド２の隣接のバンドであるバンド３で他の無線通信装置がデータの送受信を行っているためにバンド３にも受信信号が存在する。この場合、バンド３の受信信号が大きく、該バンド３の受信信号スペクトラムの肩がバンド２の信号スペクトラムにかかりバンド２の高域のサブキャリアの特性を悪化させている。このような場合のＤＣＭ変調信号の復調処理は、低域サブキャリアのｄ［ｋ］のみを用いて復調処理を行った方が良い特性が得られる。逆に低域サブキャリアｄ［ｋ］と高域サブキャリアｄ［ｋ＋５０］の両方のサブキャリアを用いて復調処理を行ってしまうと、特性の悪い高域サブキャリアｄ［ｋ＋５０］の影響で受信特性が悪化してしまうという問題がおこる。
【０００７】
また、図５に示される通り、伝送速度が８０Ｍｂｐｓ以下の時にＦＤＳが採用されている。ＦＤＳについて説明する。
【０００８】
ＦＤＳでは、ＱＰＳＫ変調方式で変調を行ったサブキャリアｄ［ｉ］（ｉ∈［０，４９］）について行われる。ＦＤＳ後のデータ・サブキャリアをＣ［ｉ］（ｉ∈［０，９９］）とすると、ｋ∈［０，４９］のときは、Ｃ［ｋ］＝ｄ［ｋ］となり、ｋ∈［５０，９９］のときは、Ｃ［ｋ］＝ｄ＊［９９−ｋ］となる（ここで＊は共役な複素数を示す）。すなわち、８．２５ＭＨｚ〜４６２ＭＨｚ離れた２つのデータ・サブキャリアに同じデータが送信されている。一般的には、復調する時に、離れた２つの同じデータを送信したデータ・サブキャリアの平均を用いて、復調処理を行う。２つのサブキャリアが同時にフェージングの影響を受けて悪化している確率はより低い。２つのサブキャリアに対するフェージングの影響が小さい場合には、周波数ダイバーシティ効果が得られる。もちろん同じデータを送信しているので、２つのデータ・サブキャリアを用いずとも、どちらか一方のサブキャリアのみで復調することも可能である。
【特許文献１】特開２００８−１２４８１５号公報
【発明の開示】
【発明が解決しようとする課題】
【０００９】
一般的に、２つのサブキャリアを用いた復調方式は、周波数選択性フェージングへの耐性は強いが、一方でどちらかのサブキャリアの特性が極端に悪化している場合、良いサブキャリアの特性も悪化させてしまうという欠点がある。ＦＤＳの場合においても、上記した図８で示された環境下でバンド２の信号を復調するには、中心周波数に対して低域側のサブキャリアのみを用いて復調処理を行った方が良い特性が得られる。２つのデータ・サブキャリアを用いて復調処理を行ってしまうと、特性の悪い高域のサブキャリアの影響で受信特性が悪化してしまうという問題が生じる。
【００１０】
一方、オフィスや公衆における無線ＬＡＮのアクセスポイントの設置は多くの場合、専任のネットワーク管理者が、あらかじめ近隣のアクセスポイントと電波干渉をしないように、適切なチャネルや場所に設定する。しかしながら、PANのような近距離無線通信では専任のネットワーク管理者を設置することがないため、近隣の無線装置との電波干渉を考慮したチャネル設定をすることができない。そのためワイヤレスＵＳＢでは、電波干渉が起こることは避けられず、電波干渉に強い無線受信装置が要求される。
【００１１】
他の機器からの干渉信号波が自局の信号送信帯域の中心周波数に対して低域側にあるか高域側にあるかを判定し、判定結果に基づいて、干渉信号が存在する帯域側に相当する自局の送信信号帯域の半分の送信サブキャリアを削除して送信する方式が開示されている（例えば、特許文献１参照）。この方式では、送信側の無線通信装置が送信サブキャリアを削除する前に、あらかじめ受信側の無線通信装置に送信サブキャリアを削除することを通知しなければ、大幅に受信性能が劣化してしまう。そのため、通知するための時間がかかり、干渉信号への対応に時間がかかる。よって、無線通信装置から送信されるデータを送信するサブキャリア個数や配置は、変更されないことが望ましい。さらに、隣接バンドで通信を行っているＵＷＢ通信からの干渉の影響は送信側の無線通信装置と受信側の無線通信装置で影響度が違うため、受信側の無線通信装置で隣接バンドからの干渉に対して適切に処理できないという問題がある。
【００１２】
本発明はかかる課題に鑑み、隣接バンドからの干渉に対する耐性を向上させることができる無線受信装置及び方法を提供することを目的とする。
【課題を解決するための手段】
【００１３】
上記課題を解決するため、本無線受信装置は、
複数のサブキャリアを所定周波数間隔で配置したマルチキャリア伝送方式を用いてデータを送受信する無線通信システムにおける無線受信装置であって、
前記無線通信システムで送受信されるデータを送信する各サブキャリアは所定の変調方式で変調され、
当該無線受信装置がデータの受信に使用している周波数帯域に隣接する周波数帯域を使用してデータの送信を行う他の無線通信装置の通信状況を検出する隣接周波数帯域通信状況検出部と、
前記隣接周波数帯域通信状況検出部において検出された他の無線通信装置の通信状況に基づいて、前記所定の変調方式で変調されたデータの復調処理に用いるサブキャリアを決定する復調データ・サブキャリア決定部と、
前記復調データ・サブキャリア決定部において決定された復調処理に用いるサブキャリアを用いて、復調処理を行う復調部と
を有する。
【００１４】
本方法は、
複数のサブキャリアを所定周波数間隔で配置したマルチキャリア伝送方式を用いてデータを送受信する無線通信システムの無線受信装置における方法であって、
前記無線通信システムで送受信されるサブキャリアは所定の変調方式で変調され、
当該無線受信装置がデータの受信に使用している周波数帯域に隣接する周波数帯域を使用してデータの送信を行う他の無線通信装置の通信状況を検出するステップと、
前記通信状況を検出するステップにおいて検出された他の無線通信装置の通信状況に基づいて、前記所定の変調方式で変調されたデータの復調処理に用いるサブキャリアを決定するステップと、
前記サブキャリアを決定するステップにおいて決定された復調処理に用いるサブキャリアを用いて、復調処理を行うステップと
を有する。
【発明の効果】
【００１５】
開示の無線受信装置及び方法によれば、隣接バンドからの干渉に対する耐性を向上させることができる。
【発明を実施するための最良の形態】
【００１６】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００１７】
以下、本実施例に係る無線受信装置について、図９を参照して説明する。
【００１８】
本実施例に係る無線受信装置１００は、無線通信装置に含まれ、無線接続の通信技術として、ワイヤレスUSBが適用される。ワイヤレスUSBでは、UWB（Ultra  wideband）をベースにスペクトラム拡散（Spread  spectrum）技術が使用される。UWBは、数GHzもの超広帯域を用いる無線技術である。
【００１９】
図９は、ワイヤレスUSBにより無線通信を行う無線受信装置の構成例を示す。なお、図９には、本実施例に関するＤＣＭ復調機能部のみが示され、受信や送信に関する機能部については省略される。
【００２０】
無線受信装置１００は、アンテナ１０２と、該アンテナ１０２からＲＦ信号を受信するＲＦ部１０４と、ＡＤＣ(Analog  to  Digital  Converter)部１０６と、ベースバンド受信部１０８と、ＤＣＭ復調部１１０と、復調データ・サブキャリア決定部１１２と、隣接周波数帯域通信状況検出部１１４とを有する。
【００２１】
RF部１０４は、アンテナ１０２を介して、他の無線通信装置に含まれる無線送信装置により送信されたDCM変調信号を受信する。例えば、無線送信装置は、複数のサブキャリアを所定の周波数間隔で配置したマルチキャリア伝送方式を用いて、データを送信する。
【００２２】
RF部１０４は、DCM変調信号を増幅し、Ｉ信号及びＱ信号を生成し、ゲイン調整を行い、ADC１０６に入力する。
【００２３】
ADC１０６は、入力されたゲイン調整が行われたＩ信号及びＱ信号をデジタル信号に変換し、該デジタル信号に変換されたI信号及びQ信号をベースバンド受信部１０８に入力する。
【００２４】
隣接周波数帯域通信状況検出部１１４は、当該無線受信装置１００が使用する周波数帯域に近接する周波数帯域を使用してデータの送信及び／又は受信を行う他の無線通信装置を検出する。そして、隣接周波数帯域通信状況検出部１１４は、該他の無線通信装置が存在する場合に、該無線通信装置の通信状況を監視する。当該無線通信装置１００への影響が大きい他の無線通信装置を検出する観点からは、隣接周波数帯域通信状況検出部１１４は、当該無線受信装置１００が使用する周波数帯域に隣接する周波数帯域を使用してデータの送信を行う他の無線通信装置を検出するのが好ましい。隣接周波数帯域通信状況検出部１１４は、他の無線通信装置の通信状況の情報を復調データ・サブキャリア決定部１１２に入力する。例えば、隣接周波数帯域通信状況検出部１１４は、他の無線通信装置により通信が行われている情報を復調データ・サブキャリア決定部１１２に入力するようにしてもよい。
【００２５】
復調データ・サブキャリア決定部１１２は、入力された他の無線通信装置の通信状況に基づいて、ＤＣＭ復調部１１０で復調処理に用いるデータ・サブキャリアを決定する。例えば、復調データ・サブキャリア決定部１１２は、入力された他の無線通信装置の通信状況に基づいて、ＤＣＭ復調部１１０で復調処理に用いるデータを送信するサブキャリア（以下、データ・サブキャリアと呼ぶ）の個数を決定するようにしてもよい。データ・サブキャリアには、データがマッピングされている。復調データ・サブキャリア決定部１１２は、決定したデータ・サブキャリアを示す情報をDCM復調部１１０に入力する。
【００２６】
DCM復調部１１０は、復調データ・サブキャリア決定部１１２により入力されたデータ・サブキャリアに従って、DCM変調信号の復調処理を行う。このようにすることにより、伝送速度が320Ｍｂｐｓ以上の場合に適用できる。
【００２７】
図９では、復調データ・サブキャリア決定部１１２及び隣接周波数帯域通信状況検出部１１４がベースバンド受信部１０８の外部に備えられているが、復調データ・サブキャリア決定部１１２及び隣接周波数帯域通信状況検出部１１４をベースバンド受信部１０８に備えるようにしてもよいし、DCM復調部１１０に備えるようにしてもよい。
【００２８】
本実施例に係る無線受信装置１００の動作について、図１０を参照して説明する。
【００２９】
無線送信装置により送信されたDCM変調信号は、アンテナ１０２を介して、RF部１０４において受信される（ステップＳ１００２）。RF部１０４は、DCM変調信号を増幅し、Ｉ信号及びＱ信号を生成し、ゲイン調整を行い、ADC１０６に入力する。ADC１０６は、入力されたゲイン調整が行われたＩ信号及びＱ信号をデジタル信号に変換し、該デジタル信号に変換されたＩ信号及びＱ信号をベースバンド受信部１０８に入力する。
【００３０】
一方、隣接周波数帯域通信状況検出部１１４は、隣接する周波数帯域を使用してデータの送信及び／又は受信を行う他の無線通信装置の検出を行う（ステップＳ１００４）。
【００３１】
隣接周波数帯域通信状況検出部１１４より、隣接する周波数帯域を使用してデータの送信及び／又は受信を行う他の無線通信装置は存在しないという情報が出力された場合には（ステップＳ１００４：ＹＥＳ）、復調データ・サブキャリア決定部１１２は、サブキャリアｄ［ｋ］及びｄ［ｋ＋５０］（ｋ∈［０，４９］）のデータ・サブキャリアの両方を用いて復調処理を行うと決定する（ステップＳ１００６）。よって、復調データ・サブキャリア決定部１１２は、復調に用いるデータ・サブキャリアとして、全データ・サブキャリアを決定する。
【００３２】
隣接周波数帯域通信状況検出部１１４より、隣接する周波数帯域を用いてデータの送信を行う他の無線通信装置は存在するという情報が出力された場合には（ステップＳ１００４：ＮＯ）、復調データ・サブキャリア決定部１１２は、他の無線通信装置がデータの送信を行う隣接する周波数帯域は高域であるかを判断する（ステップＳ１００８）。ここで、他の無線通信装置がデータの送信を行う隣接する周波数帯域は低域であるかを判断するようにしてもよい。
【００３３】
当該無線受信装置が受信に使用する周波数帯域に対して、他の無線通信装置がデータの送信を行う隣接する周波数帯域が高域側である場合、復調データ・サブキャリア決定部１１２には、高域の隣接する周波数帯域を用いてデータの送信を行う他の無線通信装置が存在することを示す情報が入力される。高域の隣接する周波数帯域を用いてデータの送信を行う他の無線通信装置が存在するという情報が出力された場合には（ステップＳ１００８：ＹＥＳ）、復調データ・サブキャリア決定部１１２は、高域のデータ・サブキャリアの受信特性の劣化が大きいと判断し、ｄ［ｋ］とｄ［ｋ＋５０］（ｋ∈［０，４９］）のデータ・サブキャリアのうち、高域にあるｄ［ｋ＋５０］のデータ・サブキャリアはＤＣＭ復調処理には用いず、低域にあるｄ［ｋ］のサブキャリアのみを用いて復調処理を行うと決定する（ステップＳ１０１０）。よって、復調データ・サブキャリア決定部１１２は、復調に用いるデータ・サブキャリアとして、低域の５０個のデータ・サブキャリアを決定する。
【００３４】
一方、当該無線受信装置が受信に使用する周波数帯域に対して、他の無線通信装置がデータの送信を行う隣接する周波数帯域が低域側である場合、復調データ・サブキャリア決定部１１２には、低域の隣接する周波数帯域を用いてデータの送信を行う他の無線通信装置が存在することを示す情報が入力される。低域の隣接する周波数帯域を用いてデータの送信を行う他の無線通信装置が存在するという情報が出力された場合には（ステップＳ１００８：ＮＯ）、復調データ・サブキャリア決定部１１２は、低域のデータ・サブキャリアの受信特性の劣化が大きいと判断し、ｄ［ｋ］とｄ［ｋ＋５０］（ｋ∈［０，４９］）のデータ・サブキャリアのうち、低域にあるｄ［ｋ］のデータ・サブキャリアはＤＣＭ復調処理には用いず、高域にあるｄ［ｋ＋５０］のサブキャリアのみを用いて復調処理を行うと決定する（ステップＳ１０１２）。よって、復調データ・サブキャリア決定部１１２は、復調に用いるデータ・サブキャリアとして、高域の５０個のデータ・サブキャリアを決定する。
【００３５】
DCM復調部１１０は、復調データ・サブキャリア決定部１１２において決定された復調に用いるデータ・サブキャリアを用いて、DCM復調を行う。
【００３６】
本実施例によれば、ＤＣＭ変調方式で変調された信号を用いてデータの送信及び／又は受信を行う無線通信システムにおいて、無線送信装置では送信するデータに使用されるサブキャリア個数や配置は変更せずに、無線受信装置において当該無線受信装置が通信を行う周波数帯域に隣接する周波数帯域を用いてデータの送信を行う他の無線通信装置の通信状況によって、ＤＣＭ復調処理に用いるデータ・サブキャリアを決定する。このようにすることにより、復調処理に用いるデータ・サブキャリアを決定することができ、隣接バンドからの干渉に対する耐性を高くすることができる。
（変形例（その１））
本変形例に係る無線受信装置１００について、図１１を参照して説明する。
【００３７】
本変形例に係る無線受信装置１００は、上述した実施例に係る無線受信装置において、DCM復調部１１０の代わりにQPSK/FDS復調部１１６を有する。このようにすることにより、伝送速度が８０Ｍｂｐｓ以下の場合に適用できる。
【００３８】
図１１は、ワイヤレスUSBにより無線通信を行う無線受信装置の構成例を示す。なお、図１１には、本実施例に関するQPSK/FDS復調機能部のみが示され、受信や送信に関する機能部については省略される。
【００３９】
無線受信装置１００は、アンテナ１０２と、該アンテナ１０２からＲＦ信号を受信するＲＦ部１０４と、ＡＤＣ部１０６と、ベースバンド受信部１０８と、ＱＰＳＫ／ＦＤＳ復調部１１６と、復調データ・サブキャリア決定部１１２と、隣接周波数帯域通信状況検出部１１４とを有する。
【００４０】
RF部１０４は、アンテナ１０２を介して、無線送信装置により送信されたＱＰＳＫ変調方式で変調され、ＦＤＳが適用されて送信された変調信号（以下、QPSK/FDS変調信号と呼ぶ）を受信する。例えば、無線送信装置は、複数のサブキャリアを所定の周波数間隔で配置したマルチキャリア伝送方式を用いて、データを送信する。
【００４１】
RF部１０４は、QPSK/FDS変調信号を増幅し、Ｉ信号及びＱ信号を生成し、ゲイン調整を行い、ADC１０６に入力する。
【００４２】
ADC１０６は、入力されたゲイン調整が行われたＩ信号及びＱ信号をデジタル信号に変換し、該デジタル信号に変換されたI信号及びQ信号をベースバンド受信部１０８に入力する。
【００４３】
隣接周波数帯域通信状況検出部１１４は、当該無線通信装置１００が使用する周波数帯域に近接する周波数帯域を使用してデータの送信及び／又は受信を行う他の無線通信装置を検出する。そして、隣接周波数帯域通信状況検出部１１４は、該他の無線通信装置が存在する場合に、該無線通信装置の通信状況を監視する。当該無線通信装置１００への影響が大きい他の無線通信装置を検出する観点からは、隣接周波数帯域通信状況検出部１１４は、当該無線通信装置１００が使用する周波数帯域に隣接する周波数帯域を使用してデータの送信を行う他の無線通信装置を検出するのが好ましい。隣接周波数帯域通信状況検出部１１４は、他の無線通信装置の通信状況の情報を復調データ・サブキャリア決定部１１２に入力する。例えば、隣接周波数帯域通信状況検出部１１４は、他の無線通信装置により通信が行われている情報を復調データ・サブキャリア決定部１１２に入力するようにしてもよい。
【００４４】
復調データ・サブキャリア決定部１１２は、入力された他の無線通信装置の通信状況に基づいて、QPSK/FDS復調部１１６で復調処理に用いるデータ・サブキャリアを決定する。例えば、復調データ・サブキャリア決定部１１２は、入力された他の無線通信装置の通信状況に基づいて、QPSK/FDS復調部１１６で復調処理に用いるデータ・サブキャリアの個数を決定するようにしてもよい。復調データ・サブキャリア決定部１１２は、決定したデータ・サブキャリアの個数を示す情報をQPSK/FDS復調部１１６に入力する。
【００４５】
QPSK/FDS復調部１１６は、復調データ・サブキャリア決定部１１２により入力されたデータ・サブキャリアの個数に従って、QPSK/FDS変調信号の復調処理を行う。
【００４６】
図１１では、復調データ・サブキャリア決定部１１２及び隣接周波数帯域通信状況検出部１１４がベースバンド受信部１０８の外部に備えられているが、復調データ・サブキャリア決定部１１２及び隣接周波数帯域通信状況検出部１１４をベースバンド受信部１０８に備えるようにしてもよいし、QPSK/FDS復調部１１６に備えるようにしてもよい。
【００４７】
本実施例に係る無線受信装置１００の動作について説明する。
【００４８】
無線受信装置１００の動作は、図１０を参照して説明した動作において、ステップＳ１００２、Ｓ１００６、Ｓ１０１０及びＳ１０１２が異なる。
【００４９】
ステップＳ１００２では、無線送信装置により送信されたＱＰＳＫ変調方式で変調され、ＦＤＳが適用されて送信された変調信号を受信する。
【００５０】
ステップＳ１００６、Ｓ１０１０及びＳ１０１２では、QPSK/FDS復調部１１６は、復調データ・サブキャリア決定部１１２により入力されたデータ・サブキャリアに従って（を用いて）、QPSK/FDS変調信号の復調処理を行う。
【００５１】
本変形例では、無線送信装置により送信されたＱＰＳＫ変調方式で変調され、ＦＤＳが適用されて送信された変調信号を復調する場合について説明したが、無線送信装置により送信されたＱＰＳＫ変調方式で変調され、TDSが適用されて送信された変調信号を復調する場合にも適用できる。
【００５２】
本変形例によれば、周波数領域拡散が適用された信号を用いてデータの送信及び／又は受信を行う無線通信システムにおいて、無線送信装置では送信するデータに使用されるサブキャリア個数や配置は変更せずに、無線受信装置において当該無線受信装置が通信を行う周波数帯域に隣接する周波数帯域を用いてデータの送信を行う他の無線通信装置の通信状況によって、周波数領域拡散復調処理に用いるデータ・サブキャリアの個数を決定する。このようにすることにより、隣接バンドからの干渉に対する耐性を高くすることができる。
（変形例（その２））
本変形例について、図１２を参照して説明する。
【００５３】
図１２は、バンド２で受信している時の無線受信装置１００の受信スペクトラムを示す。
【００５４】
図１２（ａ）には、当該無線受信装置１００が使用しているバンドに隣接するバンドであるバンド３で他の無線通信装置がデータを大きな受信強度で送受信を行っている状況が示される。図１２（ａ）では、バンド３に大きな受信信号が存在する。このような場合、隣接周波数帯域通信状況検出部１１４は、復調データ・サブキャリア決定部１１２に、当該無線受信装置１００が利用する周波数帯域に隣接する周波数帯域を用いてデータの送信を行う他の無線通信装置からのデータの受信信号強度が大きいことを示す情報を出力する。
【００５５】
図１２（ｂ）には、当該無線受信装置１００が使用しているバンドに隣接するバンドであるバンド３で他の無線通信装置がデータを比較的小さい受信強度で送受信を行っている状況が示される。図１２（ｂ）では、バンド３に比較的小さな受信信号が存在する。このような場合、隣接周波数帯域通信状況検出部１１４は、復調データ・サブキャリア決定部１１２に、当該無線受信装置１００が利用する周波数帯域に隣接する周波数帯域を用いてデータの送信を行う他の無線通信装置からのデータの受信信号強度が小さいことを示す情報を出力する。
【００５６】
図１２（ｃ）には、当該無線受信装置１００が使用しているバンドに隣接するバンドでは他の無線通信装置は通信を行っていない状況が示される。このような場合、隣接周波数帯域通信状況検出部１１４は、復調データ・サブキャリア決定部１１２に、当該無線受信装置１００が利用する周波数帯域に隣接する周波数帯域を用いてデータの送信を行う他の無線通信装置からのデータの受信信号はないことを示す情報を出力する。
【００５７】
図１２で示される環境下で通信を行う場合、無線受信装置１００では、隣接周波数帯域通信状況検出部１１４は、復調データ・サブキャリア決定部１１２に、上述したような情報を入力する。復調データ・サブキャリア決定部１１２は、復調するサブキャリアを決定する。無線受信装置１００は、図１３で示すようなそれぞれのデータ・サブキャリアを用いて復調処理を行う。図１３において、四角はサブキャリアを示し、該四角の中に示される番号はサブキャリアの番号を示す。
【００５８】
図１２（ａ）で示される環境下で通信を行う場合、隣接周波数帯域通信状況検出部１１４は、当該無線受信装置１００が利用する周波数帯域に隣接する周波数帯域を用いてデータの送信を行う他の無線通信装置からのデータの受信信号強度が大きいことを示す情報を、復調データ・サブキャリア決定部１１２に入力する。復調データ・サブキャリア決定部１１２は、バンド３からの干渉による受信特性の劣化が大きいため、図１３（ａ）に示すように、ｄ［ｋ］とｄ［ｋ＋５０］（ｋ∈［０，４９］）のデータ・サブキャリアのうち、高域にあるｄ［ｋ＋５０］のデータ・サブキャリアはＤＣＭ復調処理には用いず、ｄ［ｋ］のデータ・サブキャリアのみを用いて復調処理を行うと決定する。図１３（ａ）において、黒塗りの四角は復調に使用されるサブキャリアを示し、白塗りの四角は復調に使用されないサブキャリアを示す。この場合、復調データ・サブキャリア決定部１１２は、復調データ・サブキャリアとして、低域の５０個のデータ・サブキャリアを決定する。
【００５９】
また、復調データ・サブキャリア決定部１１２は、バンド１からの干渉による受信特性の劣化が大きい場合には、ｄ［ｋ］とｄ［ｋ＋５０］（ｋ∈［０，４９］）のデータ・サブキャリアのうち、低域にあるｄ［ｋ］のデータ・サブキャリアはＤＣＭ復調処理には用いず、ｄ［ｋ＋５０］のデータ・サブキャリアのみを用いて復調処理を行うと決定するようにしてもよい。
【００６０】
図１２（ｂ）で示される環境下で通信を行う場合、隣接周波数帯域通信状況検出部１１４は、当該無線受信装置１００が利用する周波数帯域に隣接する周波数帯域を用いてデータの送信を行う他の無線通信装置からのデータの受信信号強度が小さいことを示す情報を、復調データ・サブキャリア決定部１１２に入力する。復調データ・サブキャリア決定部１１２は、隣接バンドからの干渉による受信特性の劣化は比較的小さいため、図１３（ｂ）に示すように、ｄ［０］〜ｄ［７４］のデータ・サブキャリアをＤＣＭ復調処理に用いて復調処理を行うと決定する。つまり、復調データ・サブキャリア決定部１１２は、ｄ［０］〜ｄ［２４］とｄ［５０］〜ｄ［７４］は、２つのデータ・サブキャリアを用いＱＰＳＫ復調と同様な方式で復調する。復調データ・サブキャリア決定部１１２は、ｄ［２５］〜ｄ［４９］は、１つのデータ・サブキャリアを用い、１６ＱＡＭ復調と同様な方式で復調を行う。図１３（ｂ）において、黒塗りの四角は１つのデータ・サブキャリアを用いて復調が行われるサブキャリアを示し、太枠の白塗りの四角は復調に使用されないサブキャリアを示す。それ以外の四角は２つのデータ・サブキャリアを用いて復調が行われるサブキャリアを示す。この場合、復調データ・サブキャリア決定部１１２は、復調データ・サブキャリアとして、高域の２５個を除外したデータ・サブキャリアを決定する。
【００６１】
図１２（ｃ）で示される環境下で通信を行う場合、隣接周波数帯域通信状況検出部１１４は、当該無線受信装置１００が利用する周波数帯域に隣接する周波数帯域を用いてデータの送信を行う他の無線通信装置からのデータの受信信号はないことを示す情報を、復調データ・サブキャリア決定部１１２に入力する。復調データ・サブキャリア決定部１１２は、隣接バンドからの干渉がないため、図１３（ｃ）に示すように、ｄ［ｋ］とｄ［ｋ＋５０］（ｋ∈［０，４９］）のデータ・サブキャリアの両方を用いて復調処理を行うと決定する。図１３（ｃ）において、白塗りの四角は２つのデータ・サブキャリアを用いて復調が行われるサブキャリアを示す。この場合、復調データ・サブキャリア決定部１１２は、復調データ・サブキャリアとして、全データ・サブキャリアを決定する。
【００６２】
なお、図１３に示した復調処理に用いるデータ・サブキャリアの個数は一例である。隣接バンドからの干渉による影響やフェージングの影響などにより適切な値に変更してもよい。このようにすることによって、より周波数ダイバーシティ効果を得ながら、隣接バンドからの干渉に対する耐性を高めることができる。
【００６３】
本変形例は、無線送信装置により送信されたDCM変調信号の復調処理に適用してもよいし、無線送信装置により送信されたＱＰＳＫ変調方式で変調され、ＦＤＳが適用されて送信された変調信号の復調処理に適用してもよい。また、無線送信装置により送信された他の変調方式で変調された変調信号の復調処理に適用してもよい。
【００６４】
本変形例によれば、復調処理に用いるデータ・サブキャリアの個数を細やかに決定することができ、周波数ダイバーシティ効果を得ながら、隣接バンドからの干渉に対する耐性を高めることができる。
【００６５】
本実施例によれば、隣接する周波数帯域を用いてデータの送信を行う他の無線通信装置の通信状況に基づいて、送信されるデータのサブキャリア個数や配置は変更せずに、復調処理に用いるデータ・サブキャリアの個数を決定することで、隣接バンドからの干渉に対する耐性を高めることができる。
【００６６】
以上本発明は特定の実施例、変形例を参照しながら説明されてきたが、それらは単なる例示に過ぎず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。実施例、変形例又は項目の区分けは本発明に本質的ではなく、２以上の実施例又は項目に記載された事項が必要に応じて組み合わせて使用されてよい。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が本発明に包含される。
【図面の簡単な説明】
【００６７】
【図１】MultiBand-OFDMのバンド構成を示す説明図である。
【図２】MultiBand -OFDMにおけるシンボルの送信方法の一例を示す説明図である。
【図３】MultiBand -OFDMにおけるシンボルの送信方法の一例を示す説明図である。
【図４】各サブキャリアの周波数領域での配置を示す説明図である。
【図５】伝送速度に関するPHYパラメータを示す説明図である。
【図６】ＩＱ平面を示す説明図である。
【図７】DCM変調方式の符号化テーブルの一例を示す説明図である。
【図８】無線受信装置において検出される周波数スペクトラムの一例を示す説明図である。
【図９】一実施例に係る無線受信装置を示す機能ブロック図である。
【図１０】一実施例に係る無線受信装置の動作を示すフロー図である。
【図１１】一実施例に係る無線受信装置を示す機能ブロック図である。
【図１２】無線受信装置において検出される周波数スペクトラムの一例を示す説明図である。
【図１３】復調に使用するサブキャリアの一例を示す説明図である。
【符号の説明】
【００６８】
１００  無線受信装置
１０２  アンテナ
１０４  RF部
１０６  ADC(Analog  to  Digital  Converter)部
１０８  ベースバンド受信部
１１０  DCM(Dual-carrier  modulation)復調部
１１２  復調データ・サブキャリア決定部
１１４  隣接周波数帯域通信状況検出部
１１６  QPSK／FDS復調部
【図１】
2010093708.tif 000003
【図２】
2010093708.tif 000004
【図３】
2010093708.tif 000005
【図４】
2010093708.tif 000006
【図５】
2010093708.tif 000007
【図６】
2010093708.tif 000008
【図７】
2010093708.tif 000009
【図８】
2010093708.tif 000010
【図９】
2010093708.tif 000011
【図１０】
2010093708.tif 000012
【図１１】
2010093708.tif 000013
【図１２】
2010093708.tif 000014
【図１３】
2010093708.tif 000015